(57)【要約】【課題】  熱可塑性樹脂発泡成形品の表面に熱可塑性樹脂シートからなる表皮が積層されてなる複合成形品を簡単に効率よく製造する方法、それに用いる製造装置、及び前記方法で得られた複合成形品の提供。【解決手段】  シート係止部６を有する枠材５の該シート係止部に熱可塑性樹脂シート２の縁を係止して枠材にシートを張設し、成形型１の雌型４に枠材を取り付け、シートを加熱、軟化せしめた後、雄型と雌型を型締めし、雄型３に設けられた凸部３Ａでシートを押圧することによってシートを型内成形すると共に、該シートを雄型側に接触させ、次いで雌型とシートの間に熱可塑性樹脂発泡粒子を充填し、次いで成形型を蒸気加熱して型内成形し、熱可塑性樹脂発泡成形品の表面にシートからなる表皮が積層されるとともにその縁に枠材が接合されてなる複合成形品を製造することを特徴とする複合成形品の製造方法。【選択図】  図４
2005246848.tif 000002
【特許請求の範囲】
【請求項１】
シート係止部を有する枠材の該シート係止部に熱可塑性樹脂シートの縁を係止して前記枠材に熱可塑性樹脂シートを張設し、成形型を構成する雄型と雌型のうち雌型に前記枠材を取り付け、該熱可塑性樹脂シートを加熱、軟化せしめた後、雄型と雌型を型締めし、雄型に設けられた凸部で前記熱可塑性樹脂シートを押圧することによって熱可塑性樹脂シートを型内成形すると共に、該シートを雄型側に接触させ、次いで雌型と熱可塑性樹脂シートの間に熱可塑性樹脂発泡粒子を充填し、次いで成形型を熱可塑性樹脂発泡粒子の融着温度以上の温度に加熱して型内成形し、熱可塑性樹脂発泡成形品の表面に熱可塑性樹脂シートからなる表皮が積層されるとともにその縁に枠材が接合されてなる複合成形品を製造することを特徴とする複合成形品の製造方法。
【請求項２】
雄型の周縁部から突出してその先端で雌型に取り付けた枠材を押圧し、雄型と雌型の間隔に応じて進退する複数の押圧ピンによって枠材を押圧して熱可塑性樹脂シートを枠材に固定する請求項１に記載の複合成形品の製造方法。
【請求項３】
枠材が複合成形品を他部に取り付ける際に用いる固定用枠材である請求項１又は２に記載の複合成形品の製造方法。
【請求項４】
多数の蒸気穴が穿設された雄型と雌型を備え、これらを型締めした時に製造する複合成形品の外形と合致するキャビティが形成される成形型を備え、このキャビティ内に熱可塑性樹脂シートと熱可塑性樹脂発泡粒子を入れて熱可塑性樹脂発泡粒子の融着温度以上に加熱して複合成形品を型内成形により製造する複合成形品の製造装置において、
雌型に、シート係止部に熱可塑性樹脂シートの縁を係止して該シートを張設した枠材を着脱可能に取り付ける取付部が設けられたことを特徴とする複合成形品の製造装置。
【請求項５】
雄型の周縁部から突出してその先端で雌型に取り付けた枠材を押圧し、雄型と雌型の間隔に応じて進退する複数の押圧ピンが設けられた請求項４に記載の複合成形品の製造装置。
【請求項６】
枠材が複合成形品を他部に取り付ける際に用いる固定用枠材である請求項４又は５に記載の複合成形品の製造装置。
【請求項７】
請求項１〜３のいずれかに記載の製造方法により得られ、熱可塑性樹脂発泡成形品の表面に熱可塑性樹脂シートからなる表皮が積層されるとともにその縁に枠材が接合されてなることを特徴とする複合成形品。
【発明の詳細な説明】
【技術分野】
【０００１】
本発明は、熱可塑性樹脂シート（以下、シートと略記する。）からなる表皮と発泡合成樹脂成形品とが積層された複合成形品とその製造方法及び製造装置に関する。本発明の複合成形品は、例えば、ユニットバスの天井材等の住宅設備用部材、自動車の内装材（インストルメンタルパネル、ドアパネル、シートバックパネル、ステアリングホイール、取手等）、家具（椅子の座部等）、容器、内装材、壁面材等に用いられる。
【背景技術】
【０００２】
発泡合成樹脂成形品の表面改良目的として、耐久性の向上がある。従来、発泡合成樹脂成形品の表面改良の方法として、発泡合成樹脂成形品の表面に、ポリプロピレン（ＰＰ）、ポリエチレン（ＰＥ）、ハイインパクトポリスチレン（ＨＩＰＳ）等からなるシートを積層し、これを表皮とした複合成形品が提案されている。
従来、この種の複合成形品の製造方法としては、雄型と雌型のいずれか一方又は双方のキャビティ面に該キャビティ面に沿う形に予め成形した表皮フィルム又はシートを装着後、型締めを行い、発泡性樹脂粒子の充填と該粒子の加熱発泡処理を行って表皮付き発泡樹脂成形品を製造する方法において、キャビティ面に装着した表皮フィルム又はシートをキャビティ内圧力を上昇させることによりキャビティ面に更に密着させる工程を備えることを特徴とする表皮付き発泡樹脂成形品の製造方法が提案されている（例えば、特許文献１参照。）。
【０００３】
また、表皮材が通気性を有せず、発泡体層の厚さが大きいものであっても、予備発泡粒子から型内発泡体を製造すると同時に該表皮材と型内発泡体とを強固に一体化することができ、融着不良の発生が無い表皮を有するポリプロピレン系樹脂型内発泡成形体の製造方法が提案されている（例えば、特許文献２参照。）。
【特許文献１】特開２００２−２９２６６９号公報
【特許文献２】特開平６−８９１号公報
【発明の開示】
【発明が解決しようとする課題】
【０００４】
特許文献１には、凹凸面内にシートを装着して表皮付き発泡樹脂成形品を製造する旨が記載されているが、その詳細については記載されていない。
特許文献２には、インサート品等の取付具に関して記載されているが、その構造等の詳細については記載されていない。
一般に、シートを成形型内に正確に位置決めして固定するには手間がかかり、また型内発泡の際にシートがずれやすく、良品の製造が難しい問題がある。
また、予めシートを成形し、これを成形型内に入れて熱可塑性樹脂発泡粒子を充填して型内成形する従来技術では、シートを別に成形するために余分な製造工程が必要であり、製造に手間と時間がかかる問題がある。
【０００５】
本発明は前記事情に鑑みてなされ、熱可塑性樹脂発泡成形品の表面に熱可塑性樹脂シート（以下、シートと記す。）からなる表皮が積層されてなる複合成形品を簡単に効率よく製造するための製造方法、それに用いる製造装置、及び前記方法で得られた複合成形品の提供を目的とする。
【課題を解決するための手段】
【０００６】
前記目的を達成するため、本発明は、シート係止部を有する枠材の該シート係止部にシートの縁を係止して前記枠材にシートを張設し、成形型を構成する雄型と雌型のうち雌型に前記枠材を取り付け、シートを加熱、軟化せしめた後、雄型と雌型を型締めし、雄型に設けられた凸部で前記シートを押圧することによってシートを型内成形すると共に、該シートを雄型側に接触させ、次いで雌型とシートの間に熱可塑性樹脂発泡粒子を充填し、次いで成形型を熱可塑性樹脂発泡粒子の融着温度以上の温度に加熱して型内成形し、熱可塑性樹脂発泡成形品の表面にシートからなる表皮が積層されるとともにその縁に枠材が接合されてなる複合成形品を製造することを特徴とする複合成形品の製造方法を提供する。
本発明の製造方法において、雄型の周縁部から突出してその先端で雌型に取り付けた枠材を押圧し、雄型と雌型の間隔に応じて進退する複数の押圧ピンによって枠材を押圧してシートを枠材に固定することが好ましい。
本発明の製造方法において、枠材が複合成形品を他部に取り付ける際に用いる固定用枠材であることが好ましい。
【０００７】
また本発明は、多数の蒸気穴が穿設された雄型と雌型を備え、これらを型締めした時に製造する複合成形品の外形と合致するキャビティが形成される成形型を備え、このキャビティ内にシートと熱可塑性樹脂発泡粒子を入れて熱可塑性樹脂発泡粒子の融着温度以上に加熱して複合成形品を型内成形により製造する複合成形品の製造装置において、雌型に、シート係止部にシートの縁を係止して該シートを張設した枠材を着脱可能に取り付ける取付部が設けられたことを特徴とする複合成形品の製造装置を提供する。
本発明の製造装置において、雄型の周縁部から突出してその先端で雌型に取り付けた枠材を押圧し、雄型と雌型の間隔に応じて進退する複数の押圧ピンが設けられた構成とすることが好ましい。
本発明の製造装置において、枠材が複合成形品を他部に取り付ける際に用いる固定用枠材であることが好ましい。
【０００８】
また本発明は、前述した本発明に係る製造方法により得られ、熱可塑性樹脂発泡成形品の表面にシートからなる表皮が積層されるとともにその縁に枠材が接合されてなることを特徴とする複合成形品を提供する。
【発明の効果】
【０００９】
本発明の複合成形品の製造方法は、シート係止部を有する枠材の該シート係止部にシートの縁を係止して前記枠材にシートを張設し、成形型を構成する雄型と雌型のうち雌型に前記枠材を取り付け、シートを加熱、軟化させた後、型締めして該シートを雄型の凸部で押圧、成形し、雄型側のシートと雌型との間に熱可塑性樹脂発泡粒子を充填し、加熱して型内成形し、熱可塑性樹脂発泡成形品の表面にシートからなる表皮が積層されてなる複合成形品を製造するので、シートの取付が容易であり、またシートの縁を強く固定できるので、シート成形時にずれを生じることがなくなり、高品質の複合成形品を安定して製造することができる。
また、軟化したシートを雄型の凸部で押圧して成形し、さらに発泡粒子の型内成形の際に生じる圧力でシートを成形しているので、綺麗な外観の表皮が得られると共に、複雑な形状の複合成形品の製造が可能となる。
【００１０】
また本発明の複合成形品の製造装置は、雌型に、シート係止部にシートの縁を係止して該シートを張設した枠材を着脱可能に取り付ける取付部を設けた構成としたので、シートを張設した枠材を雌型の取付部に取り付け、このシートを加熱、軟化させた後、型締めして該シートを雄型の凸部で押圧、成形し、雄型側のシートと雌型との間に熱可塑性樹脂発泡粒子を充填し、加熱して型内成形し、熱可塑性樹脂発泡成形品の表面にシートからなる表皮が積層されるとともにその縁に枠材が接合されてなる複合成形品を一台の成形装置を用いて効率よく製造することができる。
また、雄型の周縁部から突出してその先端で雌型に取り付けた枠材を押圧し、雄型と雌型の間隔に応じて進退する複数の押圧ピンが設けられた構成とすることで、シートの固定力を高めることができ、シート成形時のシートのずれを確実に防止することができる。
【発明を実施するための最良の形態】
【００１１】
以下、図面を参照して本発明の実施形態を説明する。
図１〜７は、本発明に係る複合成形品の製造方法の一例を説明するための図であり、図１は雌型４の取付部７に、シート２を張設した枠材５を取り付けた状態を示す成形型１の要部断面図、図２は本発明の方法に用いる枠材５の要部断面図、図３は雄型３の押圧ピン１３で枠材５を固定した状態を示す成形型１の要部断面図、図４は型締めと同時に雄型３で加熱したシートを成形した状態を示す成形型１の要部断面図、図５は型内発泡成形して複合成形品を製造する状態を示す成形型１の要部断面図、図６は本発明の製造方法で得られる複合成形品の一例を示す斜視図、図７はその複合成形品を天井材として取り付けた状態を示す要部断面図である。
これらの図中、符号１は成形型、２はシート、３は雄型、３Ａは凸部、４は雌型、５は枠材、６はシート係止部、７は取付部、８は取付片、９は係止爪、１０は支持凸部、１１はカバー取付部、１１Ａは突起、１２は収納部、１３は押圧ピン、１４はキャビティ、１５は熱可塑性樹脂発泡成形品、１６は複合成形品、１７は表皮、１８は壁、１９は化粧カバーである。
【００１２】
本発明の製造方法において、使用する製造装置としては、雌型４の周縁部に枠材５を取り付ける取付部７が設けられ、また雄型３の周縁部から突出してその先端で雌型４に取り付けた枠材５を押圧し、雄型３と雌型４の間隔に応じて進退する複数の押圧ピン１３が設けられ、かつ雄型３に型締め時に枠材５の一部（支持凸部１０及びカバー取付部１１など）を収納する収納部１２を設けた成形型１を備えたものが使用される。この成形型１以外の製造装置の各部の構成は特に限定されず、熱可塑性樹脂発泡成形品の型内発泡成形に通常用いられている従来公知の発泡成形装置の構成を採用し得る。
【００１３】
この成形型１において、枠材５を取り付けるための取付部７は、雌型４の周縁に沿って所定間隔毎に突出形成されたピン状の取付部７とすることができる。このような取付部７とすれば、枠材５を簡単に取り付けることができると共に、型締めしてキャビティ１４内に熱可塑性樹脂発泡粒子を充填する際に、取付部７によって該発泡粒子の移動が妨げられることが無く、周縁部分にも隙間無く熱可塑性樹脂発泡粒子を充填することができる。
【００１４】
この成形型１において、雄型３の周縁部から突出する複数の押圧ピン１３は、スプリングやエアシリンダーによって雄型３の周縁に取り付けることができ、特にエアシリンダーによって進退可能に取り付けることが好ましい。これらのエアシリンダーは、雄型３の周縁（収納部１２）の裏側に取り付けられ、図示しない貫通孔に押圧ピン１３を挿入してセットされる。押圧ピン１３は、その先端で雌型４に取り付けた枠材５を押圧し、枠材５によって係止されたシート２が枠材から抜け出さないように固定し、シート２のずれを確実に防止するために使用される。押圧ピン１３は、その先端で雌型４に取り付けた枠材５を押圧しつつ、型締め時には雄型３の移動に伴って押し込まれるようになっている。
【００１５】
この成形型１において、雄型３に型締め時に枠材５の一部製造される複合成形品１６において露出する枠材５の部分の形状及び寸法に合わせて設けられ、本例示では枠材５の支持凸部１０及びカバー取付部１１及びその周辺部分を収納する凹部形状を有している。
【００１６】
このような成形型１を備えた複合成形品の製造装置は、シート２を張設した枠材５を雌型４の取付部７に取り付け、このシート２を加熱、軟化させた後、型締めして該シート２を雄型３の凸部３Ａで押圧、成形し、雄型３側のシート３と雌型４との間に熱可塑性樹脂発泡粒子を充填し、加熱して型内成形し、熱可塑性樹脂発泡成形品１５の表面にシート２からなる表皮１７が積層されるとともにその縁に枠材５が接合されてなる複合成形品１６を一台の成形装置を用いて効率よく製造することができる。
また、雄型３の周縁部から突出してその先端で雌型３に取り付けた枠材５を押圧し、雄型３と雌型４の間隔に応じて進退する複数の押圧ピン１３が設けられた構成とすることで、シート２の固定力を高めることができ、シート成形時のシート２のずれを確実に防止することができる。
【００１７】
図２は、本発明の方法に用いる枠材５の要部断面図である。この枠材５は、ポリエチレン系樹脂、ポリプロピレン系樹脂などの合成樹脂で作られている。本例示において、枠材５は、長コ字状をなし、シート２を挟んで係止するシート係止部６が形成された本体部と、該本体部の上方側に突出した一対の取付片８と、本体部の下方から突出形成された支持凸部１０及びカバー取付部１１とからなっている。前記取付片８は、雌型４の取付部７に取りつけられて、枠材５を雌型４側に着脱可能に取り付けるとともに、型内発泡成形後は熱可塑性樹脂発泡成形品１５の内部に埋め込まれ、熱可塑性樹脂発泡成形品１５と枠材５との接合を強める機能を持っている。また前記支持凸部１０及びカバー取付部１１は、複合成形品１６の壁１８への取り付けの際、それらの間に壁１８の上端部を挿入する状態で簡単に取り付けを行うことができると共に、カバー取付部１１には化粧カバー１９を簡単に取り付けることができるようになっている。
【００１８】
この枠材５のシート係止部６には、図２に示すように、複数の係止爪９を設けることが望ましい。このシート係止部６にシートを挟むと、係止爪９がシート２に食い込んで、シート係止部６からシート２が抜け出し難くなる。シート係止部６によるシート２の係止構造は、本例示に限定されない。
【００１９】
本発明の方法に用いるシート２としては、熱可塑性樹脂単層シート又は複数枚のシートやフィルムを積層してなる積層シート又は複数枚のシートやフィルムを重ねたシートであることが好ましい。この熱可塑性樹脂としては、例えばポリエチレン、ポリプロピレン、ポリスチレン、ポリエチレンテレフタレート（ＰＥＴ）などが挙げられる。また、このシート２は、非発泡のシート又はフィルムのみから形成しても良いし、低倍率の発泡樹脂シートを用いてもよい。低倍率の発泡樹脂シートとしては、密度１４０〜５００ｋｇ／ｍ３の発泡ポリスチレン系樹脂シートに、表層としてハイインパクトポリスチレンフィルムが積層された積層シートなどが好ましい。
【００２０】
また熱可塑性樹脂発泡粒子としては、例えば、ポリエチレン、ポリプロピレン、ポリスチレン、ポリエチレンテレフタレート（ＰＥＴ）などの樹脂を適当な密度に予備発泡させた発泡ビーズなどが用いられる。本発明において好ましい熱可塑性樹脂発泡粒子としては、密度５０〜２００ｋｇ／ｍ３の範囲のポリスチレン系樹脂発泡ビーズなどが挙げられる。
【００２１】
これらの材料を用い、本発明の方法によって複合成形品を製造するには、まず、型開き状態（図１、図３参照）にある雌雄型のうち、雌型４側の取付部７に、予めシート２を張設しておいた枠材５を取り付ける。図１に示すように、枠材５は、シート２の縁を係止し、一対の係止爪８の間に雌型４の取付部７を挟持した状態で取り付けられる。
【００２２】
次に、図３に示すように、雄型３の収納部１２から押圧ピン１３を上昇させ、その先端を雌型４に取り付けた枠材５に当接させ、かつ枠材５を押圧する。この押圧ピン１３の押圧によって、シート２を挟んで取り付けられた枠材５は、取付部７の先端と押圧ピン１３との間に押し付けられた状態となるので、シート係止部６に挟み込まれたシート２が外れたり、ずれたりするのを確実に防止できる。
【００２３】
次に、雄型３と雌型４を通して成形型１を蒸気加熱し、シート２を加熱、軟化させる。このシート軟化条件は、使用するシート２の材質、シート厚さなどに応じて適宜設定される。
【００２４】
次に、雄型３と雌型４の一方または両方を、それぞれの型が接近する方向に移動させ、型締めする。この型締めの際、軟化したシート２には雄型３の凸部３Ａが当接し、シート２はこの凸部３Ａの形状に沿って成形される。
【００２５】
図４は、雄型３と雌型４が型締めされた状態を示す図であり、この型締めされた状態では、凸部３Ａで成形されたシート２が雄型３の内面側に付着しており、このシート２と雌型４内面側との間がキャビティ１４になっている。枠材５は上部に雌型４の取付部７が当接し、下部が雄型の収納部１２上端に接している。枠材５の支持凸部１０とカバー取付部１１は、雄型３の収納部１２に設けられた凹部（収納スペース）に挿入される。
【００２６】
次いで、雌型４のいずれかに接続された図示しない供給管路を通して、キャビティ１４内に熱可塑性樹脂発泡粒子を充填する。
次いで、成形型１を熱可塑性樹脂発泡粒子の融着温度以上に蒸気加熱して型内発泡成形し、図５に示すように、熱可塑性樹脂発泡成形品１５の表面にシート２からなる表皮が積層されるとともにその縁に枠材５が接合されてなる複合成形品を製造する。
【００２７】
この型内発泡成形では、図５に示すように、枠材５の取付片８が熱可塑性樹脂発泡成形品１５の内部に埋め込まれた状態になり、熱可塑性樹脂発泡成形品１５と枠材５が強固に接合された状態になり、またシート２は縁を枠材５に係止された状態のまま、熱可塑性樹脂発泡成形品１５の一面側に積層される。この型内発泡成形時、シート２は発泡膨張する熱可塑性樹脂発泡成形品１５により雄型３内面側に押し付けられ、雄型３の形状が転写される成形を受けるので、綺麗な外観の表皮が得られる。
【００２８】
次いで、成形型１を冷却水で冷却し、排水した後、真空排気、排気中止後に空気導入などの操作を行って、雄型３を雌型４から離して型開きし、複合成形品を型から取り出す。複合成形品を成形型１から取り外す際、枠材５の取付片８が雌型４の取付部７から抜き出される。
【００２９】
この複合成形品の製造方法は、シート係止部６を有する枠材５の該シート係止部６にシート２の縁を係止して枠材５にシート２を張設し、成形型１を構成する雄型３と雌型４のうち雌型４に枠材５を取り付け、シート２を加熱、軟化させた後、型締めして該シート２を雄型３の凸部３Ａで押圧、成形し、雄型３側のシート３と雌型４との間に熱可塑性樹脂発泡粒子を充填し、加熱して型内成形し、熱可塑性樹脂発泡成形品１５の表面にシート２からなる表皮が積層されてなる複合成形品を製造するので、シート２の取付が容易であり、またシート２の縁を強く固定できるので、シート成形時にずれを生じることがなくなり、高品質の複合成形品を安定して製造することができる。
また、軟化したシート２を雄型３の凸部３Ａで押圧して成形し、さらに発泡粒子の型内成形の際に生じる圧力でシートを成形しているので、綺麗な外観の表皮が得られると共に、複雑な形状の複合成形品の製造が可能となる。
【００３０】
図６は、前述した本発明に係る複合成形品の製造方法を用いて製造された複合成形品の一例を示す斜視図である。
この複合成形品１６は、熱可塑性樹脂発泡成形品１５の一面側にシート２からなる表皮１７が積層されるとともにその縁に枠材５が接合された構造になっており、この表皮１７側を意匠面として、例えば浴槽の天井材として用いられる。本発明において、複合成形品１６の形状、寸法は特に限定されない。この複合成形品２１の用途としては、例えばユニットバスの天井材等の住宅設備用部材、自動車の内装材（インストルメンタルパネル、ドアパネル、シートバックパネル、ステアリングホイール、取手等）、家具（椅子の座部等）、容器、内装材、壁面材等が挙げられるが、これらに限定されない。
【００３１】
図７は、図６に示す複合成形品１６を天井材として用いる場合に、枠材５を固定用枠材として、複合成形品１６を壁１８の上端部に取り付けた状態を示している。
図７に示す例では、枠材５の下方に突出して設けられた支持凸部１０とカバー取付部１１の間の凹部に壁１８の上端部が嵌着されるように設計されている。したがって、前記複合成形品１６（天井材）を壁１８上端部に取り付けるには、壁１８の上端に複合成形品１６を載せ、枠材５の支持凸部１０とカバー取付部１１の間に壁１８の上端を嵌め込んで、複合成形品１６を押し下げた後、適所をボルトで締結する程度の簡単な作業で複合成形品１６の取り付けを行うことができる。また、壁１８の内面側の露出しているカバー取付部１１は、突起１１Ａを用いて化粧カバー１９を嵌め込んで外観上覆うことができる。
【００３２】
この複合成形品１６は、前述した製造方法によって、軟化したシート２を雄型３の凸部３Ａで押圧して成形し、さらに発泡粒子の型内成形の際に生じる圧力でシート２を成形しているので、綺麗な外観の表皮１７が得られる。また、複雑な形状の複合成形品１６であっても、シート２が雄型３の形状を綺麗に転写できることから、意匠性に優れた表皮１７を有する高品質の複合成形品１６を提供できる。
【図面の簡単な説明】
【００３３】
【図１】本発明に係る複合成形品の製造方法を説明する図であり、雌型の取付部に、シートを張設した枠材を取り付けた状態を示す成形型の要部断面図である。
【図２】本発明の方法に用いる枠材を例示する要部断面図である。
【図３】雄型の押圧ピンで枠材を固定した状態を示す成形型の要部断面図である。
【図４】型締めと同時に雄型で加熱したシートを成形した状態を示す成形型の要部断面図である。
【図５】型内発泡成形して複合成形品を製造する状態を示す成形型の要部断面図である。
【図６】本発明の製造方法で得られる複合成形品の一例を示す斜視図である。
【図７】その複合成形品を天井材として取り付けた状態を示す要部断面図である。
【符号の説明】
【００３４】
１…成形型、２…シート、３…雄型、３Ａ…凸部、４…雌型、５…枠材、６…シート係止部、７…取付部、８…取付片、９…係止爪、１０…支持凸部、１１…カバー取付部、１１Ａ…突起、１２…収納部、１３…押圧ピン、１４…キャビティ、１５…熱可塑性樹脂発泡成形品、１６…複合成形品、１７…表皮、１８…壁、１９…化粧カバー。
【図１】
2005246848.tif 000003
【図２】
2005246848.tif 000004
【図３】
2005246848.tif 000005
【図４】
2005246848.tif 000006
【図５】
2005246848.tif 000007
【図６】
2005246848.tif 000008
【図７】
2005246848.tif 000009